(57)【特許請求の範囲】
【請求項１】
無線通信機能を備える通信端末の無線通信中に、使用する無線チャネルの電波干渉が発生したことを検知する検知部と、
前記検知の際に、前記無線チャネルを縮退すべきか判断する判断部と、
前記縮退すべきと判断した際に、光媒体を発光させる表示部
とを備えることを特徴とする通信装置。
【請求項２】
前記縮退すべきと判断した際に、前記通信端末に前記無線チャネルの縮退を通知するデータを送信する提示部
を更に備えることを特徴とする請求項１に記載の通信装置。
【請求項３】
前記通信装置が複数存在する場合に、各通信装置の位置情報を格納する記憶部を更に備え、
前記提示部は、前記無線チャネルの電波の送信元である通信装置の位置情報を、前記通知するデータに付加して送信することを特徴とする請求項２に記載の通信装置。
【請求項４】
無線通信機能を備える通信端末の無線通信中に、使用する無線チャネルの電波干渉が発生したことを検知し、
前記検知の際に、前記無線チャネルを縮退すべきか判断し、
前記縮退すべきと判断した際に、光媒体を発光させる
ことを備えることを特徴とする通信方法。
【請求項５】
前記縮退すべきと判断した際に、前記通信端末に前記無線チャネルの縮退を通知するデータを送信すること
を更に備えることを特徴とする請求項４に記載の通信方法。
【請求項６】
前記無線中継を行う通信装置が複数存在する場合に、各通信装置の位置情報を格納する記憶部を更に備え、
前記送信することは、前記無線チャネルの電波の送信元である通信装置の前記位置情報を、前記通知するデータに付加して送信することを含むことを特徴とする請求項５に記載の通信方法。
【請求項７】
無線通信機能を備える通信端末の無線通信中に、使用する無線チャネルの電波干渉が発生したことを検知する機能と、
前記検知の際に、前記無線チャネルを縮退すべきか判断する機能と、
前記縮退すべきと判断した際に、光媒体を発光させる機能
とをコンピュータに実現させる通信プログラム。
【請求項８】
前記縮退すべきと判断した際に、前記通信端末に前記無線チャネルの縮退を通知するデータを送信する機能
を更にコンピュータに実現させる請求項７に記載の通信プログラム。
【請求項９】
前記無線中継を行う通信装置が複数存在する場合に、各通信装置の位置情報を格納する記憶部を更に備え、
前記送信する機能は、前記無線チャネルの電波の送信元である通信装置の前記位置情報を、前記通知するデータに付加して送信することを特徴とする請求項８に記載の通信プログラム。
【発明の詳細な説明】
【技術分野】
【０００１】
本発明は、複数の異なる無線チャネルに複数の通信機器を無線通信可能に設定する通信装置等に関する。
【背景技術】
【０００２】
１つの無線中継器（アクセスポイント）は、複数の無線ＬＡＮ（Local Area Network）通信接続可能な通信機器と通信することが可能である。この時、この無線中継器と複数の通信機器の各々は互いに同じ無線チャネルを使用して無線通信を行う。通常は無線中継器毎に使用する無線チャネルは電波干渉を防ぐため一定の無線周波数帯域を離して設定される。
【０００３】
しかしながら、近辺に複数の無線中継器が存在し、それらが互いの存在を意識せずに無線チャネルを設定している場合、無線チャネル同士が電波干渉を発生し、転送速度が低下してしまうことがある。このような場合、無線通信の確実性担保の為、電波干渉が発生している内の片方の無線チャネルを、もう片方の無線チャネルの無線周波数を阻害しない程度に縮退させる。この際、縮退した側の無線チャネルのユーザは、この縮退に気づき、別の無線チャネルを選択する必要がある。又、無線チャネルを一定無線周波数帯域離して設定された場合であっても、周波数が重なる電波を発する機器が近くに存在する場合や、近似する周波数が過密する地帯では、複数の無線チャネルの周波数が互いに干渉し、転送速度が低下してしまうことがある。このような場合、この使用中の無線チャネルが縮退したことをユーザが確認するためには、ユーザが、通信機器を介して、無線通信中のアクセスポイントの設定・表示ページにアクセスして無線チャネルの電波の縮退状態を確認する必要があった。
【０００４】
特許文献１は、これに関連する技術として、ベースバンド処理カードを各エリアに対応するように複数毎備えた基地局装置の技術を開示している。この基地局装置等は、ベースバンド処理カードに通信障害が発生しても、そのセクタがカバーする通信エリアの通信を維持する。
【先行技術文献】
【特許文献】
【０００５】
【特許文献１】特開２００９−３８６９２号公報
【発明の概要】
【発明が解決しようとする課題】
【０００６】
特許文献１に記載の技術では、電波障害により、通信中にある１つの無線チャネルを縮退させると、他の縮退していない無線チャネルに通信を移行する。この際に、基地局装置は、電波障害が検出されたカードの共有無線チャネルを自動的に自カードに移設する。つまり、ユーザに対して電波障害が発生したカードの切り替えを提示したり、推奨したりするものではない。このためユーザには無線チャネルを選択する自由はなく、又基地局装置の製造コストも高かった。
【０００７】
本発明は上記の課題を解決するべくなされた。本発明は、通信中の無線チャネルの縮退が発生すると、ユーザにこれを通知して無線チャネルの切り替えを促し、この結果、通信装置の構造を簡略化して製造コストを抑えることができる通信装置等を提供することを主たる目的とする。
【課題を解決するための手段】
【０００８】
上記課題を解決する為、本発明の第１の観点は、無線通信機能を備える通信端末の無線通信中に、使用する無線チャネルの電波干渉が発生したことを検知する検知部と、検知の際に無線チャネルを縮退すべきか判断する判断部と、縮退すべきと判断した際に光媒体を発光させる表示部とを備える通信装置である。
【０００９】
本発明の第２の観点は、無線通信機能を備える通信端末の無線通信中に、使用する無線チャネルの電波干渉が発生したことを検知し、検知の際に無線チャネルを縮退すべきか判断し、縮退すべきと判断した際に光媒体を発光させる通信方法である。
【００１０】
本発明の第３の観点は、無線通信機能を備える通信端末の無線通信中に、使用する無線チャネルの電波干渉が発生したことを検知する機能と、検知の際に無線チャネルを縮退すべきか判断する機能と、縮退すべきと判断した際に光媒体を発光させる機能とをコンピュータに実現させる通信プログラムである。
【発明の効果】
【００１１】
本発明によれば、無線チャネルの縮退時にユーザにこれを通知して切り替えを促し、ユーザは自由に他の無線チャネルを選択することができる。又、通信装置の製造コストを抑えることができる
【図面の簡単な説明】
【００１２】
【図１】第一の実施形態に係る無線中継システムの構成図である。
【図２】第一の実施形態に係る通信装置の内部ブロック構成図である。
【図３】第一の実施形態に係る通信装置の動作を示すフロー図である。
【図４】第二の実施形態に係る無線中継システムの構成図である。
【図５】第二の実施形態に係る通信装置の内部ブロック構成図である。
【図６】第二の実施形態に係る通信装置の動作を示すフロー図である。
【図７】第三の実施形態に係る通信装置の構成図である。
【発明を実施するための形態】
【００１３】
次に図面を参照して、本発明の実施形態を説明する。以下の図面の記載において、同一又は類似の部分には同一又は類似の符号を付している。ただし、図面は本発明の実施形態における構成を模式的に表している。更に以下に記載される実施形態は一例であり、その本質を同一とする範囲において適宜変更可能である。
＜第一の実施形態＞
第一の実施形態の無線中継システムは、マンション等の集合住宅の各個室内で、あるユーザがある通信装置（アクセスポイント）を使用して無線通信を行う場合を想定している。このユーザは自らが所有する通信装置のみを使用して無線通信することを前提としており、このユーザの部屋の両隣に、他の通信装置が複数存在することについては意識していない。このような場合、通信装置の無線チャネルの設定によっては無線電波の干渉が発生し、無線ＬＡＮ通信の転送速度が低下することがある。以下、このような状態において使用する無線中継システムについて説明する。
（無線中継システム）
本発明に係る第一の実施形態の無線中継システム１００は、図１に示すように、通信装置１ａ、１ｂ、１ｃと、通信装置１ａ〜１ｃを介して外部と無線通信するパーソナルコンピュータ２ａ、２ｂ、２ｃと、通信装置１ａ〜１ｃを介して外部と無線通信する携帯通信端末２ｄ、２ｅ、２ｆ等を備える。
【００１４】
通信装置１ａ〜１ｃは、様々な通信端末と外部ネットワークとの間を接続可能な電波中継機である。通信装置１ａ〜１ｃは、これらの通信端末との間で無線ＬＡＮにおける接続を行うことが多いが、有線ＬＡＮにおける接続機能を有していてもよい。パーソナルコンピュータ２ａ〜２ｃは、事務所や家庭などで個人が利用することを目的としたコンピュータである。携帯通信端末２ｄ〜２ｆは、ＰＤＡ（Personal Digital Assistant）、タブレット、スマートフォン、携帯電話等の無線通信可能な端末を指す。
【００１５】
図１に示すように、Ａ領域には、通信装置１ａ、パーソナルコンピュータ２ａおよび携帯通信端末２ｄが存在する。通信装置１ａは、無線チャネルＡを使用して、パーソナルコンピュータ２ａおよび携帯通信端末２ｄとの間で無線通信を行う。Ｂ領域には、通信装置１ｂ、パーソナルコンピュータ２ｂおよび携帯通信端末２ｅが存在する。通信装置１ｂは、無線チャネルＢを使用して、パーソナルコンピュータ２ｂおよび携帯通信端末２ｅとの間で無線通信を行う。Ｃ領域には、通信装置１ｃ、パーソナルコンピュータ２ｃおよび携帯通信端末２ｆが存在する。通信装置１ｃは、無線チャネルＣを使用して、パーソナルコンピュータ２ｃおよび携帯通信端末２ｆとの間で無線通信を行う。尚、各通信装置１ａ〜１ｃは独立して設置されており、他の通信装置との通信、同期等は行わない。
（通信装置）
通信装置１ａ〜１ｃは、図２に示すように、無線通信部１１、制御部１３、ＬＥＤ表示部１５、記憶部１４を備える。
【００１６】
無線通信部１１は、無線ＬＡＮ通信の為の高周波信号を送受信する。
【００１７】
制御部１３は、通信装置１ａ〜１ｃの各機能を制御する。制御部１３は、無線通信制御部１３ａ、無線チャネル検出部１３ｂ、無線チャネル縮退判断部１３ｃ、無線チャネル提示部１３ｄ、無線チャネル設定部１３ｅを備える。
【００１８】
無線通信制御部１３ａは、無線通信部１１におけるデータの送受信を制御する。
【００１９】
無線チャネル検知部１３ｂは、無線ＬＡＮの電波干渉が発生したことを検知し、これを無線チャネル縮退判断部１３ｃに通知する。
【００２０】
無線チャネル縮退判断部１３ｃは、電波干渉の通知を受け、無線チャネルを縮退させるべきか否かを判断する。縮退させるべきと判断すると、無線チャネル提示部１３ｄにこれを通知し、ＬＥＤ表示部１５のＬＥＤランプの点灯、点滅等を行う。
【００２１】
無線チャネル提示部１３ｄは、無線チャネル縮退判断部１３ｃより通知を受けると、ユーザのパーソナルコンピュータ２ａ〜２ｃおよび携帯通信端末２ｄ〜２ｆに対し、無線通信部１１における無線チャネルの縮退を提示するためのテキストデータ又は画像データ、もしくはこれら両方を送信する。
【００２２】
無線チャネル設定部１３ｅは、ユーザのパーソナルコンピュータ２ａ〜２ｃおよび携帯通信端末２ｄ〜２ｆに対し、少なくとも１つの通信可能な無線チャネルを提示することで、ユーザにいずれの無線チャネルを今後使用するかの選択を促し、ユーザから選択された無線チャネルを受信すると、受信した無線チャネルを新たに使用する無線チャネルとして設定する。
【００２３】
ＬＥＤ表示部１５は、無線チャネル縮退判断部１３ｄからの制御に従い、光媒体、例えばＬＥＤランプの点灯、点滅および消灯を行う。
【００２４】
記憶部１４は、選択チャネル情報１４ａと使用チャネル情報１４ｂとを格納する。選択チャネル情報１４ａは、ユーザに選択された無線チャネルの情報であり、無線チャネルの種類、無線強度等を含む。使用チャネル情報１４ｂは、他の通信装置において使用中の無線チャネルの情報であり、無線チャネルの種類、無線強度等を含む。
【００２５】
尚、上述した制御部１３内の各部は、機能ブロック単位のプログラムを表している。これらは実際には、図示しないコンピュータのＣＰＵ（Central Processing Unit）、図示しないＲＯＭ（Read Only Memory）や図示しないＲＡＭ(Random Access Memory)などに格納されている。図示しないＣＰＵがこれらのプログラムを適宜演算処理することでこれらの機能は実行される。尚、制御部１３自身がＣＰＵであってもよい。
（無線中継システムの動作）
無線中継システム１００の動作について図３のフローチャートを参照して説明する。
【００２６】
まず、ステップＳ１０１において、無線チャネルの設定情報を図２に示される無線通信部１１が受信する。尚、設定情報の受信は有線通信にて行われてもよい。制御部１３の無線通信制御部１３ａは、受信した情報が、ユーザによって新たに選択された無線チャネルの設定情報であるかを判断する。ユーザによって新たに選択された無線チャネルの設定情報と判断した場合はステップＳ１０２へ進む。尚、ユーザによって新たに選択された無線チャネルの設定情報ではないと判断した場合はステップＳ１０３へ進む。
【００２７】
ステップＳ１０２において、制御部１３の無線通信制御部１３ａは、受信した情報を選択チャネル情報１４ａとして記憶部１４に格納する。
【００２８】
ステップＳ１０３において、無線チャネル検知部１３ｂは、無線通信部１１を介して、自らの近辺に存在する他の通信装置から送信されるビーコン信号を受信する。受信したビーコン信号に含まれる無線チャネルが選択チャネル情報１４ａに含まれる無線チャネルと同一又は後述する閾値内であるかを判断する。無線チャネル同士が同一又は閾値内である場合、ステップＳ１０４へ進む。無線チャネル同士が同一ではない場合は、ステップＳ１０５へ進む。
【００２９】
ステップＳ１０４において、無線チャネル検知部１３ｂは、無線チャネル同士が同一又は閾値内であると判断された無線チャネルおよびその無線信号の強度を、使用チャネル情報１４ｂとして記憶部１４に格納する。尚、使用チャネル情報１４ｂは、少なくとも１つの無線チャネルの情報を格納する。
【００３０】
ステップＳ１０５において、無線チャネル縮退判断部１３ｃは、選択チャネル情報１４ａに含まれる無線チャネルの種類、信号強度と、使用チャネル情報１４ｂに含まれる無線チャネルの種類、信号強度とを比較し、ユーザに選択された無線チャネルを縮退すべきか否かを判断する。例えば、図１において、Ａ領域、Ｂ領域、Ｃ領域の各無線チャネルが１ｃｈ（ｃｈ：チャネル）、１１ｃｈ、６ｃｈの順であれば電波干渉は発生しない。しかし、１ｃｈ、１ｃｈ、２ｃｈの順であればＡ領域とＢ領域の間ではチャネルが同一であることにより、又Ｂ領域とＣ領域の間ではチャネルが近値（閾値内）であることにより電波障害が発生する可能性がある。また電波信号の強度が、選択チャネルより使用チャネルの方が高い場合や同程度である場合にも電波障害が発生する可能性がある。これらの場合には無線チャネル間の周波数の重なりを無くす為、無線チャネルを縮退すべきと判断する。
【００３１】
尚、閾値について述べると、ＩＥＥＥ８０２．１１ｂやＩＥＥＥ８０２．１１ｇ等においては、チャネル間隔は５ＭＨｚ、1つのチャネル幅は２２ＭＨｚと規定されているため、電波干渉の発生を防ぐ為に５チャネル以上の間隔を空けることが推奨されている。よって閾値は５以下等とすることが好ましい。
【００３２】
無線チャネルを縮退すべきと判断した場合にはステップＳ１０６へ、無線チャネルを縮退しないと判断した場合にはステップＳ１０７へ進む。
【００３３】
ステップＳ１０６においては、無線チャネル縮退判断部１３ｃは、ＬＥＤ表示部１５に、縮退を示すＬＥＤランプの点灯、点滅等を指示する。ＬＥＤ表示部１５はＬＥＤランプを点灯、点滅等させることで、ユーザに縮退発生に対する注意喚起を促す。また、無線チャネル縮退判断部１３ｃは、無線通信制御部１３ａにビーコン信号の縮退を指示する。無線通信制御部１３ａは、縮退と判断された無線チャネルのビーコン信号を縮退させるよう無線通信部１１を制御する。更に、無線チャネル縮退判断部１３ｃは、無線チャネル提示部１３ｄに縮退の決定を通知する。
【００３４】
更にステップＳ１０７において、無線チャネル縮退判断部１３ｃから通知を受けると、無線チャネル縮退を判断した通信装置１ａ〜１ｃを介して通信するパーソナルコンピュータ２ａ〜２ｃおよび携帯通信端末２ｄ〜２ｆに対し、無線チャネル提示部１３ｄは、無線チャネルの切り替えを促すテキストデータ又は画像データ、もしくはこれら両方を含む情報を送信する。
【００３５】
ステップＳ１０８において、無線チャネル設定部１３ｅは、ユーザからの無線チャネル切り替え指示を、パーソナルコンピュータ２ａ〜２ｃ又は携帯通信端末２ｄ〜２ｆを介して受信したかを判断する。切り替え指示を受信した場合ステップＳ１０９へ進み、切り替え指示を受信しない場合ステップＳ１０７へ戻る。
【００３６】
ステップＳ１０９においては、無線チャネル設定部１３ｅが、新たにユーザに選択された無線チャネルの情報を選択チャネル情報１４ａとして記憶部１４に格納する。
【００３７】
上述のように、本発明の第一の実施形態によれば、制御部１３が無線電波干渉を検知して、縮退を判断し、ユーザに無線チャネルの切り替えを促す。これにより、ユーザは適切な無線チャネルに切り替えることができる。又、無線チャネルの切り替えの判断をユーザに委ねることで、通信装置１ａ〜１ｃの製造コストを抑えることができる。
【００３８】
又、上記の説明ではＬＥＤ表示部３５の点灯又は点滅によってユーザに注意喚起を促すが、これは音声、例えばブザー音や録音された発話等であってもよい。又はこれらを同時に行ってもよい。
＜第二の実施形態＞
第二の実施形態の無線中継システムは、ホテルのロビー、催し物ホール、駅の構内等で、あるユーザの通信端末が複数の通信装置の内の１つを使用する場合を想定している。この場合、複数の通信装置は有線又は無線にて接続され、互いの存在を認識している。このユーザは自らの通信端末がどの通信装置に接続して無線通信を行っているか一見では判断できない。このような場合に、他の通信機器からの電波障害や、通信端末から通信装置への接続要求の過密具合によっては無線電波の干渉が発生し、無線ＬＡＮ通信の転送速度が低下することがある。以下、このような状態において使用する無線中継システムについて説明する。
（無線中継システム）
本発明に係る第二の実施形態の無線中継システム２００は、図４に示すように、通信装置３ａ、３ｂ、３ｃと、通信装置３ａ〜３ｃを介して外部と無線通信するパーソナルコンピュータ４ａ、４ｂ、４ｃと、通信装置３ａ〜３ｃを介して外部と無線通信する携帯通信端末４ｄ、４ｅ、４ｆと、通信装置３ａ〜３ｃを接続する通信ケーブル５等を備える。
【００３９】
図４に示すように、Ａ領域には、通信装置３ａ、パーソナルコンピュータ４ａおよび携帯通信端末４ｄが存在する。通信装置３ａは、無線チャネルＡを介して、Ａ領域内のパーソナルコンピュータ４ａおよび携帯通信端末４ｄとの間で無線通信を行う。Ｂ領域には、通信装置３ｂ、パーソナルコンピュータ４ｂおよび携帯通信端末４ｅが存在する。通信装置３ｂは、無線チャネルＢを介して、Ｂ領域内のパーソナルコンピュータ４ｂおよび携帯通信端末４ｅとの間で無線通信を行う。Ｃ領域には、通信装置３ｃ、パーソナルコンピュータ４ｃおよび携帯通信端末４ｆが存在する。通信装置３ｃは、無線チャネルＣを介して、Ｃ領域内のパーソナルコンピュータ４ｃおよび携帯通信端末４ｆとの間で無線通信を行う。
【００４０】
尚、通信ケーブル５は有線であっても無線であっても構わない。各通信装置３ａ〜３ｃは通信ケーブル５とハブ装置を介して通信可能に接続されており、他の通信装置と通信、同期等を行うことができる。又、パーソナルコンピュータ４ａ〜４ｃおよび携帯通信端末４ｄ〜４ｆは、各領域を自由に移動することができ、各領域に存在する通信装置３ａ〜３ｃを介して外部との接続を行う。
（通信装置）
通信装置３ａ〜３ｃは、図５に示すように、無線通信部３１、制御部３３、ＬＥＤ表示部３５、記憶部３４等を備える。
【００４１】
制御部３３は、通信装置３ａ〜３ｃの各機能を制御する。制御部３３は、無線通信制御部３３ａ、無線チャネル検出部３３ｂ、無線チャネル縮退判断部３３ｃ、無線チャネル提示部３３ｄ、無線チャネル設定部３３ｅを備える。
【００４２】
無線チャネル提示部３３ｄは、ユーザのパーソナルコンピュータ４ａ〜４ｃおよび携帯通信端末４ｄ〜４ｆに対し、無線通信部３１における無線チャネルの通信状態を提示するためのテキストデータ又は画像データ、もしくはこれら両方を送信する。更に、無線チャネル提示部３３ｄは、ユーザのパーソナルコンピュータ４ａ〜４ｃおよび携帯通信端末４ｄ〜４ｆに対し、ユーザが選択した無線チャネルの位置を示す情報を送信する。
【００４３】
記憶部３４は、選択チャネル情報３４ａ、使用チャネル情報３４ｂおよび通信装置位置情報３４ｃを格納する。選択チャネル情報３４ａは、ユーザに選択された無線チャネルの情報であり、無線チャネルの種類、無線強度等を含む。使用チャネル情報３４ｂは、他の通信装置において使用中の無線チャネルの情報であり、無線チャネルの種類、無線強度等を含む。通信装置位置情報３４ｃは、ユーザに選択された無線チャネルを管理する通信装置３ａ〜３ｃの位置の情報である。例えば、ホテルのロビーだと「ベルデスク右上部」等のようになる。これは複数の通信装置３ａ〜３ｃの内、自らの通信端末がどの通信装置３ａ〜３ｃを介して通信を行っているかを判断するのを補助する為の情報である。
【００４４】
その他の装置、各部等については第一の実施形態と同様であるため説明を省略する。
（無線中継システムの動作）
無線中継システム２００の動作について図６のフローチャートを参照して説明する。
【００４５】
まず、ステップＳ２０１において、無線チャネルの設定情報を図５に示される無線通信部３１が受信する。制御部３３の無線通信制御部３３ａは、受信した情報が、ユーザによって新たに選択された無線チャネルの設定情報であるかを判断する。ユーザによって新たに選択された無線チャネルの設定情報と判断した場合はステップＳ２０２へ進む。尚、ユーザによって新たに選択された無線チャネルの設定情報ではないと判断した場合はステップＳ２０３へ進む。
【００４６】
ステップＳ２０２において、制御部３３の無線通信制御部３３ａは、受信した情報を選択チャネル情報３４ａとして記憶部３４に格納する。
【００４７】
ステップＳ２０３において、無線チャネル検知部３３ｂは、無線通信部３１を介して、自らの近辺に存在する他の通信装置３ａ〜３ｃから送信されるビーコン信号を受信する。更に、受信したビーコン信号に含まれる無線チャネルが選択チャネル情報３４ａに含まれる無線チャネルと同一又は閾値内であるかを判断する。無線チャネル同士が同一又は閾値内である場合、ステップＳ２０４へ進む。無線チャネル同士が同一ではない場合は、ステップＳ２０５へ進む。
【００４８】
ステップＳ２０４において、無線チャネル検知部３３ｂは、無線チャネル同士が同一又は閾値内であると判断された無線チャネルおよびその無線信号の強度を、使用チャネル情報３４ｂとして記憶部３４に格納する。
【００４９】
ステップＳ２０５において、無線チャネル縮退判断部３３ｃは、選択チャネル情報３４ａに含まれる無線チャネルの種類、信号強度等と、使用チャネル情報３４ｂに含まれる無線チャネルの種類、信号強度等とを比較し、ユーザに選択された無線チャネルを縮退すべきか否かを判断する。無線チャネルを縮退すべきと判断した場合にはステップＳ２０６へ、無線チャネルを縮退しないと判断した場合にはステップＳ２０７へ進む。
【００５０】
ステップＳ２０６においては、無線チャネル縮退判断部３３ｃは、表示制御部３３ｃに縮退を示すＬＥＤランプの制御を指示する。ＬＥＤ表示部３５は光媒体を点灯、点滅等させ、ユーザに注意喚起を促す。また、無線チャネル縮退判断部３３ｃは、無線通信制御部３３ａにビーコン信号の縮退を指示する。無線通信制御部３３ａは、無線通信部３１から発するビーコン信号を縮退するよう制御する。又、無線チャネル縮退判断部３３ｃは縮退の判断を無線チャネル提示部３３ｄに通知する。
【００５１】
更にステップＳ２０７において、無線チャネル縮退判断部３３ｃより通知を受けると、無線チャネルの縮退を判断した通信装置３ａ〜３ｃを介して通信中のパーソナルコンピュータ４ａ〜４ｃまたは携帯通信端末４ｄ〜４ｆに対し、無線チャネル提示部３３ｄは、無線チャネルの切り替えを促すテキストデータおよび接続する通信装置の位置情報、又はこれに画像データを含む情報を送信する。例えば、ホテルのロビーにおいて位置情報が「ベルデスク右上部」であると、「使用中の無線チャネルに通信障害が発生しています。無線チャネルの切り替えを行いましょう。現在使用中の通信装置はベルデスク右上部です。この通信装置のＬＥＤランプは現在点滅中です。」等のようにユーザのパーソナルコンピュータ４ａ〜４ｃ又は携帯通信端末４ｄ〜４ｆに通知する。この通知を見たユーザが、所定位置に存在する通信装置のＬＥＤ表示部３５が点灯、点滅等している場合、ユーザは自端末が無線通信をしている電波が減退していることを知ることができる。この結果、ユーザは携帯通信端末２ｄ〜２ｆ等を介して無線チャネルの切り替えを指示する。
【００５２】
ステップＳ２０８において、無線チャネル設定部３３ｅは、ユーザからの無線チャネル切り替え指示を、パーソナルコンピュータ４ａ〜４ｃ又は携帯通信端末４ｄ〜４ｆを介して受信したかを判断する。切り替え指示を受信した場合ステップＳ２０９へ進み、切り替え指示を受信しない場合ステップＳ２０７へ戻る。
【００５３】
ステップＳ２０９においては、無線チャネル設定部３３ｅが、新たにユーザに選択された無線チャネルの情報を選択チャネル情報３４ａとして記憶部３４に格納する。
【００５４】
上述のように、本発明の第二の実施形態によれば、通信装置３ａ〜３ｃが複数存在し、ユーザの端末がどの通信装置３ａ〜３ｃに所属しているか分からない状態であっても、制御部３３が無線電波干渉を検知し、検知された通信装置の位置情報と共にユーザに提示し、無線チャネルの切り替えを促す。これらの情報の提示により、ユーザは自端末が所属する通信装置３ａ〜３ｃを知り、適切な無線チャネルに切り替えることができる。又、無線チャネルの切り替えの判断をユーザに委ねることで、通信装置３ａ〜３ｃの製造コストを抑えることができる
又、上記の説明ではＬＥＤ表示部３５の点灯又は点滅によってユーザに注意喚起を促すが、これは音声、例えばブザー音や録音された発話等であってもよい。又はこれらを同時に行ってもよい。更に、無線中継器３ａ〜３ｃ毎に異なる色のＬＥＤランプをＬＥＤ表示部３５が発光してもよい。又発光色別に注意喚起の意味を異ならせ（例えば重要度、緊急度等）、これらの発光色の有する意味を予めユーザに通知しておき、発光色を変えることでユーザに異なる意味の注意喚起を促すようにしてもよい。
＜第三の実施形態＞
第三の実施形態に係る通信装置６は、検知部６ａ、縮退判断部６ｂおよび表示部６ｃを備える。
【００５５】
検知部６ａは、無線通信機能を備える通信端末の無線通信中に、使用する無線チャネルの電波干渉が発生したことを検知する。縮退判断部６ｂは、検知を受けると無線チャネルを縮退すべきか判断する。表示部６ｃは、縮退すべきと判断した際に、光媒体を発光させる。
【００５６】
本発明の第三の実施形態によれば、縮退判断部６ｂが無線チャネルの縮退を判断すると、表示部６ｃがユーザに無線チャネルの切り替えを促すための光媒体を発光させる。これにより、ユーザは無線チャネルの縮退に気づき、適切な無線チャネルに切り替えることができる。又、無線チャネルの切り替えの判断をユーザに委ねることで、通信装置６の製造コストを抑えることができる。
【符号の説明】
【００５７】
１ａ、１ｂ、１ｃ、３ａ、３ｂ、３ｃ、６      通信装置
２ａ、２ｂ、２ｃ、４ａ、４ｂ、４ｃ      パーソナルコンピュータ
２ｄ、２ｅ、２ｆ、４ｄ、４ｅ、４ｆ      携帯通信端末
１１、３１      無線通信部
１３、３３      制御部
１３ａ、３３ａ      無線通信制御部
１３ｂ、３３ｂ      無線チャネル検出部
１３ｃ、３３ｃ      無線チャネル縮退判断部
１３ｄ、３３ｄ      無線チャネル提示部
１３ｅ、３３ｅ      無線チャネル設定部
１４、３４      記憶部
１４ａ、３４ａ      選択チャネル情報
１４ｂ、３４ｂ      使用チャネル情報
３４ｃ      通信装置位置情報
１５、３５      ＬＥＤ表示部
１００、２００      無線中継システム
【図１】
0006325367.tif 000002
【図２】
0006325367.tif 000003
【図３】
0006325367.tif 000004
【図４】
0006325367.tif 000005
【図５】
0006325367.tif 000006
【図６】
0006325367.tif 000007
【図７】
0006325367.tif 000008